(57)【要約】【課題】部品点数を増加させることなく省スペースでビスの脱落を防止して信頼性を向上させる。【解決手段】撮像装置１００のアクセサリシュー装置は、ストロボ装置２００が装着される係合部材１１１と、係合部材１１１に装着されたストロボ装置２００と接続される端子を有する端子部材１１２と、撮像装置１００の外装部材の内側に配置される保持部材１１３と、外装部材の内側から保持部材１１３、外装部材、端子部材１１２、係合部材１１１の順にこれらを締結する締結用ビス１１４と、保持部材１１３に対して配置され端子部材１１２の端子と電気的に接続されるフレキシブル基板１１５とを備える。フレキシブル基板１１５にはスリット１１６が形成されることによって可撓部１１５ａが設けられており、可撓部１１５ａが締結用ビス１１４の頭部を押さえる構造とする。【選択図】図６
2019152743.tif 000002
【特許請求の範囲】
【請求項１】
電子機器の外装部材に取り付けられるアクセサリシュー装置であって、
アクセサリが装着される係合部材と、
前記係合部材に装着されたアクセサリと接続される端子を有し、前記外装部材に取り付けられる端子部材と、
前記外装部材の内側に配置される保持部材と、
前記外装部材の内側から前記保持部材、前記外装部材、前記端子部材、前記係合部材の順にこれらを締結する締結用ねじと、
前記保持部材における前記外装部材との接触面の反対側の面に対して配置され、前記端子部材の前記端子と電気的に接続されるフレキシブル基板と、を備え、
前記フレキシブル基板には所定の形状のスリットが形成されることによって可撓部が設けられており、前記可撓部が前記締結用ねじの頭部を押さえていることを特徴とするアクセサリシュー装置。
【請求項２】
前記スリットの形状は、Ｌ字型またはＵ字型であることを特徴とする請求項１に記載のアクセサリシュー装置。
【請求項３】
前記フレキシブル基板の前記可撓部を除く領域に部品が実装されていることを特徴とする請求項１又は２に記載のアクセサリシュー装置。
【請求項４】
前記フレキシブル基板は、前記可撓部を除く領域で前記端子部材の前記端子と電気的に接続されていることを特徴とする請求項１乃至３のいずれか１項に記載のアクセサリシュー装置。
【請求項５】
前記フレキシブル基板において、前記可撓部は前記可撓部の周辺よりも厚みが薄いことを特徴とする請求項１乃至４のいずれか１項に記載のアクセサリシュー装置。
【請求項６】
前記フレキシブル基板に形成された前記スリットから前記締結用ねじの頭部の一部が露出していることを特徴とする請求項１乃至５のいずれか１項に記載のアクセサリシュー装置。
【請求項７】
前記係合部材は、前記アクセサリに設けられた被係合部材を前記係合部材に対して所定の方向にスライドさせることにより前記被係合部材と係合する形状を有することを特徴とする請求項１乃至６のいずれか１項に記載のアクセサリシュー装置。
【請求項８】
外装部材と、
前記外装部材に取り付けられる請求項１乃至７のいずれか１項に記載のアクセサリシュー装置と、を備えることを特徴とする電子機器。
【発明の詳細な説明】
【技術分野】
【０００１】
本発明は、アクセサリを装着するアクセサリシュー装置と、アクセサリシュー装置を備える電子機器に関する。
【背景技術】
【０００２】
小型液晶画面を備える電子ビューファインダ（外部表示装置）や外部ストロボ装置等の撮影用アクセサリ（以下「アクセサリ」という）を装着するためのアクセサリシュー装置を備える撮像装置がある。アクセサリシュー装置は、アクセサリを装着するためのアクセサリ係合部を有し、アクセサリ係合部にはアクセサリとの電気的な接続を行うための接続端子が設けられる。一方、アクセサリにおいてアクセサリシュー装置のアクセサリ係合部と係合する被係合部材には、アクセサリ係合部に設けられた接続端子との電気的な接続を行うための被接続端子が設けられる。アクセサリがアクセサリシュー装置に機械的に装着された状態では、アクセサリ係合部の接続端子と被係合部材の被接続端子とが電気的に接続される。
【０００３】
アクセサリ係合部は撮像装置の外装部材に取り付けられることが多く、その場合に組立性やデザイン上の理由により、撮像装置の内側からビスを用いてアクセサリ係合部を外装部材に締結する必要が生じることがある。ビスによる締結は、衝撃や振動が加わった際に徐々に緩んでしまう可能性があるため、撮像装置の内側からビスの締結が行われている場合には、緩んだビスが撮像装置内部へ脱落してしまうのを防止する必要がある。そこで、例えば、特許文献１は、頭付きビスの頭部を脱落防止用のスペーサに収納した状態で頭付きビスを締結させることにより頭付きビスの脱落を抑制する技術を開示している。特許文献１に記載された技術では、頭付きビスを主部材の穴部に挿入した状態で副部材に締結させ、頭付きビスが脱落した場合にはスペーサに設けられた係合爪が主部材の係止面に係合することで、頭付きビスの脱落を防止している。
【先行技術文献】
【特許文献】
【０００４】
【特許文献１】特開２００６−１７０２６６号公報
【発明の概要】
【発明が解決しようとする課題】
【０００５】
しかしながら、上記従来技術では、ビスの脱落防止のために専用のスペーサを用意する必要があり、部品点数が増加してしまう。また、スペーサと係合爪を配置するための空間を確保する必要があるため、撮像装置が大型化してしまう。
【０００６】
本発明は、装置の内側からビスによりアクセサリシュー装置が取り付けられる電子機器において、部品点数を増加させることなく省スペースでビスの脱落を防止することが可能な電子機器を提供することを目的とする。
【課題を解決するための手段】
【０００７】
本発明に係るアクセサリシュー装置は、電子機器の外装部材に取り付けられるアクセサリシュー装置であって、アクセサリが装着される係合部材と、前記係合部材に装着されたアクセサリと接続される端子を有し、前記外装部材に取り付けられる端子部材と、前記外装部材の内側に配置される保持部材と、前記外装部材の内側から前記保持部材、前記外装部材、前記端子部材、前記係合部材の順にこれらを締結する締結用ねじと、前記保持部材における前記外装部材との接触面の反対側の面に対して配置され、前記端子部材の前記端子と電気的に接続されるフレキシブル基板と、を備え、前記フレキシブル基板には所定の形状のスリットが形成されることによって可撓部が設けられており、前記可撓部が前記締結用ねじの頭部を押さえていることを特徴とする。
【発明の効果】
【０００８】
本発明によれば、部品点数を増加させることなく、省スペースでビスの脱落を防止することができる。
【図面の簡単な説明】
【０００９】
【図１】本発明の実施形態に係る撮像装置を正面側から見た斜視図である。
【図２】図１の撮像装置にストロボ装置を装着する様子を模式的に示す斜視図である。
【図３】撮像装置が備えるアクセサリシュー装置の斜視図である。
【図４】アクセサリシュー装置の第１の分解斜視図である。
【図５】アクセサリシュー装置の第２の分解斜視図である。
【図６】フレキシブル基板の組み付け状態を説明する図である。
【発明を実施するための形態】
【００１０】
以下、本発明の実施形態について、添付図面を参照して詳細に説明する。本実施形態では、本発明の実施形態に係るアクセサリシュー装置を備える電子機器として撮像装置を取り上げ、且つ、アクセサリシュー装置に着脱可能なアクセサリとして外部ストロボ装置（以下「ストロボ装置」という）を取り上げることとする。但し、本発明に係る電子機器は撮像装置に限定されるものではなく、また、アクセサリシュー装置に着脱可能なアクセサリはストロボ装置に限定されるものではない。
【００１１】
図１は、撮像装置１００を正面側から見た斜視図である。図２は、撮像装置１００を背面側から見た斜視図であり、撮像装置１００に対してストロボ装置２００を装着する様子を模式的に示す図である。説明の便宜上、図１及び図２に示すように、互いに直交するＸ方向、Ｙ方向及びＺ方向を規定する。Ｚ方向は、撮像装置１００に不図示の交換式レンズユニットが取り付けられた状態での撮像光軸と平行な方向であり、撮像装置１００の前後方向であるとする。なお、Ｚ方向は、撮像装置１００に設けられている撮像素子１３３において光学像が結像する撮像面と直交する方向でもある。Ｘ方向は撮像装置１００の左右方向であるとし、Ｙ方向は撮像装置１００の上下方向であるとする。
【００１２】
撮像装置１００は、具体的には、レンズ交換式のデジタルカメラ（デジタル一眼レフカメラ）である。図１に示すように、撮像装置１００は、アクセサリシュー１１０、不図示の交換式レンズユニットを着脱可能とするマウント部１３０を有する。また、撮像装置１００には、撮像装置１００を正面側から見たときのマウント部１３０の左側にグリップ部１３１が設けられており、グリップ部１３１の上部にレリーズボタン１３２が設けられている。撮像装置１００の内部には、撮像素子１３３が配置されている。図２に示すように、撮像装置１００は、液晶モニター１４０、ファインダー１５０及びトップカバー１２０を有する。撮像装置１００のユーザは、液晶モニター１４０やファインダー１５０によって被写体像を確認することができる。
【００１３】
アクセサリシュー１１０は、撮像装置１００のトップカバー１２０の一部を形成している。アクセサリシュー１１０とは、アクセサリ着脱部、つまり、アクセサリであるストロボ装置２００の着脱に直接関与する構成要素を指すものと定義する。また、アクセサリシュー１１０を含み、且つ、アクセサリシュー１１０を撮像装置１００に装備するためにアクセサリシュー１１０に対して設けられる各種部材及び撮像装置１００に設けられる構造部を含めたものをアクセサリシュー装置と定義する。アクセサリシュー１１０及びアクセサリシュー装置の具体的な構成部品については後述する。トップカバー１２０は、撮像装置１００の上面の外観を形成する外装部材であり、金属材質である場合と樹脂材料である場合とがある。本実施形態では、トップカバー１２０は、マグネシウム等の金属からなる外装部品であるとする。
【００１４】
ストロボ装置２００は、光量が不足している撮影時等に閃光を発する。ストロボ装置２００を撮像装置１００に取り付けるために、ストロボ装置２００は、スライド方式によりアクセサリシュー１１０と係合する被係合部材２１０を備えている。図２に示すようにストロボ装置２００をＺ方向に矢印Ａで示すようにスライドさせることにより、被係合部材２１０をアクセサリシュー１１０に係合させることができる。
【００１５】
ストロボ装置２００は、アクセサリシュー１１０（撮像装置１００）に対して繰り返し着脱させることが可能であり、ストロボ装置２００をアクセサリシュー１１０に対して着脱する度にアクセサリシュー装置には衝撃や振動が加わる。そのため、アクセサリシュー装置には、度重なる衝撃や振動に対して高い耐久性を有することが要求される。
【００１６】
次に、アクセサリシュー装置の構成について詳細に説明する。図３（ａ）は、アクセサリシュー装置を上面後側から見た斜視図である。図３（ｂ）は、アクセサリシュー装置を裏面後側から見た斜視図である。図４は、アクセサリシュー装置の第１の分解斜視図である。図５は、アクセサリシュー装置の第２の分解斜視図である。図４の第１の分解斜視図と図５の第２の分解斜視図とでは、各図の座標軸に示されるように、アクセサリシュー装置を見ている方向が異なる。
【００１７】
アクセサリシュー１１０は、係合部材１１１と、ストロボ装置２００との電気的な接続を行うための端子部材１１２を有する。係合部材１１１は端子部材１１２に対して位置決めされており、端子部材１１２はトップカバー１２０に対して位置決めされている。トップカバー１２０においてアクセサリシュー１１０が配置される部分は、アクセサリシュー装置の構成要素となる。
【００１８】
係合部材１１１は、ストロボ装置２００をはじめとした各種のアクセサリを係合して保持する部材である。係合部材１１１は、ストロボ装置２００の被係合部材２１０を図２に示す矢印Ａ方向にスライドさせることによって係合可能なスライダ形状を有している。なお、アクセサリシュー１１０にはストロボ装置２００の装着を可能とするための形状等がＪＩＳ規格で定められており、本実施形態でもアクセサリシュー１１０の形状等はＪＩＳ規格での規定に準じたものとなっている。係合部材１１１には、強度と耐久性の観点から金属材料が用いられ、例えば、めっき処理された冷間圧延鋼鈑等を用いることができる。
【００１９】
端子部材１１２は、合成樹脂材料で形成されたベース部１１２ａと、ベース部１１２ａに保持されたシンクロナイザ接点１１２ｂと、複数の接点１１２ｃを有する。ストロボ装置２００がアクセサリシュー１１０に装着されると、端子部材１１２の各接点は被係合部材２１０に設けられている不図示の端子部と電気的に接続される。こうして、端子部材１１２の各接点と被係合部材２１０の端子部とを通じて、撮像装置１００の不図示の制御部とストロボ装置２００の不図示の制御部との間での制御信号の双方向通信が可能となる。
【００２０】
アクセサリシュー装置は、アクセサリシュー１１０（係合部材１１１及び端子部材１１２）に加えて、トップカバー１２０を挟んで撮像装置１００の内側に配置される保持部材１１３と、締結用ビス１１４と、フレキシブル基板１１５を有する。保持部材１１３は、係合部材１１１を保持する部品（構造躯体）であり、トップカバー１２０に対して位置決めされる。保持部材１１３には、強度の観点から金属材料が用いられ、例えば、めっき処理された冷間圧延鋼鈑等を用いることができる。
【００２１】
締結用ビス１１４は、保持部材１１３側から、トップカバー１２０と端子部材１１２を挿通して、係合部材１１１に締結される締結用部材である。締結用ビス１１４の締結によって、係合部材１１１、端子部材１１２、トップカバー１２０及び保持部材１１３は、この順序でＹ方向に積層された状態で締め付けられて固定される（図６（ｂ）参照）。締結用ビス１１４は、撮像装置１００の内側から各部品を締結するため、撮像装置１００の外観には現れない。
【００２２】
図５に示すように、端子部材１１２のシンクロナイザ接点１１２ｂ及び複数の接点１１２ｃからはそれぞれ、−Ｙ方向（保持部材１１３側）へ向けて延出部１１２ｄ，１１２ｅが突出している。締結用ビス１１４により係合部材１１１、端子部材１１２、トップカバー１２０及び保持部材１１３が締結された状態で、延出部１１２ｄ，１１２ｅは保持部材１１３を超えて撮像装置１００の内部へ突出する。フレキシブル基板１１５には、延出部１１２ｄ，１１２ｅが挿入されるハンダ付け用穴部が設けられており、図３（ｂ）に示すように、延出部１１２ｄ，１１２ｅをハンダ付け用穴部に挿入した状態でハンダ付けが行われる。こうして、フレキシブル基板１１５は、保持部材１１３の−Ｙ方向側に配置された状態（トップカバー１２０とで保持部材１１３を挟んだ状態）で、端子部材１１２に対して機械的に固定されると共に電気的に接続されている。
【００２３】
図６は、フレキシブル基板１１５の組付状態を説明する図である。図６（ａ）は、撮像装置１００の内側から見た平面図である。図６（ｂ）は、図６（ａ）中に矢視Ｂ−Ｂで示す断面における、締結用ビス１１４の近傍の断面図である。
【００２４】
ストロボ装置２００をアクセサリシュー１１０に対して着脱したときにアクセサリシュー装置に加わる衝撃や振動は、締結用ビス１１４による保持部材１１３等の締結を緩める可能性がある。締結用ビス１１４の緩みが進むと、締結用ビス１１４が撮像装置１００内部に脱落してしまうおそれがあり、脱落した締結用ビス１１４が撮像装置１００の基本的な機能を阻害してしまう可能性がある。この問題に対処するため、端子部材１１２の延出部１１２ｄ，１１２ｅのフレキシブル基板１１５に対するハンダ付けは、締結用ビス１１４によって保持部材１１３等を締結した後に行われる。これにより、フレキシブル基板１１５は、図６に示すように締結用ビス１１４を覆うように配置され、締結用ビス１１４の頭部を保持部材１１３側に押さえ付ける。このとき、後述するように、フレキシブル基板１１５に形成された可撓部１１５ａが締結用ビス１１４の頭部を押さえ付ける。こうして、フレキシブル基板１１５が締結用ビス１１４の脱落を防止する構造とすることで、撮像装置１００の信頼性を高めることができる。
【００２５】
フレキシブル基板１１５の厚さは０．１ｍｍ〜０．２５ｍｍ程度であり、且つ、可撓性を有する材質からなるため、限られた狭いスペースに配置することができる。また、フレキシブル基板１１５は、元来、アクセサリシュー１１０に対して電気的な接続を行うための部品であるため、新たな部品を追加することなく締結用ビス１１４の脱落を防止することができる。つまり、アクセサリシュー装置に新たな部品を追加する必要がないため、コスト上昇を回避することができる。
【００２６】
図６（ａ）に示すように、フレキシブル基板１１５には、締結用ビス１１４の近傍において、Ｌ字型のスリット１１６（Ｌ字型の貫通穴）が形成されている。Ｌ字型のスリット１１６には、フレキシブル基板１１５を局所的に変形しやすくする効果がある。つまり、フレキシブル基板１１５では、フレキシブル基板１１５において保持部材１１３と対向する領域が、スリット１１６によって、変形しやすい可撓部１１５ａと、可撓部１１５ａを除く領域である平坦部１１５ｂに分断されている。
【００２７】
可撓部１１５ａは、フレキシブル基板１１５のうち、締結用ビス１１４の頭部に乗り上げるように変形している部分であり、スリット１１６によって可撓部１１５ａは締結用ビス１１４の頭部に乗り上げるように変形しやすくなる。一方、平坦部１１５ｂの大部分は、フレキシブル基板１１５のうち保持部材１１３においてトップカバー１２０との接触面の反対側の面と接触するように配置される平坦な形状を有する領域となる。つまり、締結用ビス１１４に乗り上げるように変形した可撓部１１５ａと区別される平坦部１１５ｂは、保持部材１１３に当接するように平坦な形状に保たれる。
【００２８】
可撓部１１５ａは、締結用ビス１１４の頭部に乗り上げるように変形する必要があるため、例えば、平坦部１１５ｂよりも厚みを薄くすることによって可撓性が高められていることが望ましい。本実施形態では、フレキシブル基板１１５を、図６（ｂ）に示すように、可撓部１１５ａの厚さｔ１が、可撓部１１５ａの周辺（平坦部１１５ｂ）の厚さｔ２よりも薄い構造としている。フレキシブル基板１１５において厚みの異なる領域を部分的に形成する方法として、フレキシブル基板１１５の層構造を利用する方法がある。つまり、一般的にフレキシブル基板１１５は、ベースフィルムに対して銅箔層、カバーレイ層が積層された構成となっている。そこで、導体層及び／又はカバーレイ層を部分的に削除することによって部分的に総厚を薄くすることができる。フレキシブル基板１１５では、導体層を削除することによって、平坦部１１５ｂよりも厚みが薄く、高い可撓性を有する可撓部１１５ａを形成している。
【００２９】
フレキシブル基板１１５では、端子部材１１２とのハンダ付けを行うためのハンダ付け用穴部を平坦部１１５ｂに設けることができるようにスリット１１６の形状を設定することが望ましい。これは、可撓部１１５ａを設けない場合には、平坦部１１５ｂが保持部材１１３から浮いてしまうことで、端子部材１１２の延出部１１２ｄ，１１２ｅに対するハンダ付けの作業性が低下し、また、ハンダ付けの品質がばらつく可能性があるからである。可撓部１１５ａを設けて平坦部１１５ｂの平坦性を確保し、平坦部１１５ｂにハンダ付け用穴部を設けることにより、延出部１１２ｄ，１１２ｅに対するハンダ付けの作業性を向上させ、ハンダ付けの品質を安定させることができる。また、フレキシブル基板１１５に部品が実装される場合には、平坦部１１５ｂに部品が実装されるように、スリット１１６の形状を設定することが望ましい。これにより、フレキシブル基板１１５の変形による実装部品の剥離や脱落を防止することができる。
【００３０】
締結用ビス１１４には緩みを軽減するために接着剤を塗布することがある。そのため、スリット１１６の形状と位置は、接着剤の塗布に対応することができるように設計されている。つまり、フレキシブル基板１１５の組み付け後に締結用ビス１１４へ接着剤を塗布することができるように、締結用ビス１１４の頭部の一部がスリット１１６から露出するようにスリット１１６の位置と幅（形状）が設計されている。このとき、図６（ａ）に示すように、スリット１１６のＬ字の一辺をＺ方向と平行に形成しており、これによりＬ字の他辺は必然的にＸ方向と平行に形成される。これにより、締結用ビス１１４に塗布した接着剤は、ストロボ装置２００の着脱方向であるＺ方向と、Ｚ方向と直交するＸ方向の各方向への衝撃に対して緩み軽減効果を発揮しやすくなる。本実施形態では、締結用部材として締結用ビス１１４を例に挙げたが、これに限られず、締結用ビス１１４をボルト或いは大型のねじ等に置換してもよい。
【００３１】
以上、本発明をその好適な実施形態に基づいて詳述してきたが、本発明はこれら特定の実施形態に限られるものではなく、この発明の要旨を逸脱しない範囲の様々な形態も本発明に含まれる。例えば、上記実施形態において、アクセサリシュー装置では、端子部材１１２がトップカバー１２０とは別部材として準備されている構成について説明したが、端子部材１１２はトップカバー１２０と継ぎ目なく一体的にトップカバー１２０に形成されていてもよい。また、上記実施形態ではスリット１１６をＬ字型としたが、フレキシブル基板１１５の可撓部１１５ａと平坦部１１５ｂが上述の効果を発揮することができる所定の形状に設定することができ、例えばＵ字型にすることができる。
【符号の説明】
【００３２】
１００    撮像装置
１１０    アクセサリシュー
１１１    係合部材
１１２    端子部材
１１２ａ    ベース部
１１３    保持部材
１１４    締結用ビス
１１５    フレキシブル基板
１１５ａ    可撓部
１１５ｂ    平坦部
１１６    スリット
２００    ストロボ装置
２１０    被係合部材
【図１】
2019152743.tif 000003
【図２】
2019152743.tif 000004
【図３】
2019152743.tif 000005
【図４】
2019152743.tif 000006
【図５】
2019152743.tif 000007
【図６】
2019152743.tif 000008